(57)【要約】【課題】２つの開閉体をより高精度に閉じるとともに、少なくとも一方側の開閉体の閉じた状態をより確実に形成する。【解決手段】記録装置は、媒体に記録を行う記録手段を内部に備えた筐体と、筐体の上部の一部を開閉する第１開閉体と、筐体の周囲の一部を構成する第１面と、第１面の一部を開閉する第２開閉体と、第１面の一部を形成する側壁部材と、第１開閉体と、第２開閉体の閉状態を保持し、第１開閉体の開動作に連動して保持を解除する、側壁部材に設けられた開閉規制手段とを備える。【選択図】図４
2014195903.tif 000002
【特許請求の範囲】
【請求項１】
媒体に記録を行う記録手段を内部に備えた筐体と、
前記筐体の上部の一部を開閉する第１開閉体と、
前記筐体の周囲の一部を構成する第１面と、
前記第１面の一部を開閉する第２開閉体と、
前記第１面の一部を形成する側壁部材と、
前記第１開閉体と、前記第２開閉体の閉状態を保持し、前記第１開閉体の開動作に連動して前記保持を解除する、前記側壁部材に設けられた開閉規制手段と、
を備えた記録装置。
【請求項２】
請求項１に記載の記録装置において、前記開閉規制手段は、前記第１開閉体が閉じ且つ前記第２開閉体が閉じた状態から、前記第第１開閉体が開く過程において、前記第２開閉体の一部と係合して当該第２開閉体に開方向への外力を付与する、
ことを特徴とする記録装置。
【請求項３】
請求項１または２に記載の記録装置において、前記開閉規制手段は、前記第１開閉体が閉じ且つ前記第２開閉体が閉じた状態において、前記第２開閉体の一部と係合して当該第２開閉体の閉状態から開状態への移行を阻止する第１状態をとる、
ことを特徴とする記録装置。
【請求項４】
請求項１から３のいずれか一項に記載の記録装置において、前記開閉規制手段は、前記第１開閉体が開き且つ前記第２開閉体が開いた状態において、前記第２開閉体の一部と係合して当該第２開閉体の開状態から閉状態への移行を阻止する第２状態をとる、
ことを特徴とする記録装置。
【請求項５】
請求項１から４のいずれか一項に記載の記録装置において、前記開閉規制手段は、前記第１開閉体が閉じ且つ前記第２開閉体が開いた状態において、前記第２開閉体の開状態から閉状態への移行を許容する第３状態をとる、
ことを特徴とする記録装置。
【請求項６】
請求項１から５のいずれか一項に記載の記録装置において、前記第１開閉体は、開いた状態において給送前の媒体を支持し、
前記第２開閉体は、記録が行われて排出される媒体の排出口を開閉する、
ことを特徴とする記録装置。
【請求項７】
請求項６に記載の記録装置において、前記第１開閉体は、支持する媒体の一方側のエッジ位置を規制する突起を備え、
前記突起が、前記第１開閉体が閉じる過程において前記開閉規制手段と係合し、前記第２開閉体の開閉の規制状態切り換えを実行させる、
ことを特徴とする記録装置。
【発明の詳細な説明】
【技術分野】
【０００１】
本発明は、ファクシミリやプリンターに代表される記録装置に関する。
【背景技術】
【０００２】
記録装置の一例としてのプリンターには、小型・軽量で、携帯性を備えた、所謂モバイルタイプのものがある。特許文献１に示すプリンターは、その一例である。
【０００３】
特許文献１に示すプリンターは、装置上面に設けられた給紙開口部を覆う給紙カバーと、装置前面に設けられた排紙口を覆う排紙口カバーを備えている。給紙カバーには磁石ユニットが設けられており、また排紙口カバーには金属部材が設けられている。給紙カバーと排紙口カバーとが閉じた状態では、給紙カバーの磁石ユニットと、排紙口カバーの金属部材とが互いに吸着することでロック状態となり、シェル構造をなす。そして、給紙カバーを開くことに連動して、排紙口カバーは自重により自動的に開く様になっている。
【０００４】
特許文献１に示すプリンターは、以上の様な構成により、排紙口カバーを開かずに印刷を行ってしまうことによる紙詰まりを防止している。
【先行技術文献】
【特許文献】
【０００５】
【特許文献１】特開２００４−１２２７１９号公報
【発明の概要】
【発明が解決しようとする課題】
【０００６】
上述した特許文献１記載のプリンターは、給紙カバーと排紙口カバーとを互いに吸着させてシェル構造をなす様に構成されている為、一方側の製造ばらつきや組立誤差が、他方側の閉じた姿勢に影響を与える。これにより例えば、閉じた状態において給紙カバー（又は排紙口カバー）が装置筐体と面一にならず、段差が形成されて、装置の美観上好ましくない状態が形成されるとともに、カバンなどに収納した際に引っ掛かりを招く虞がある。
【０００７】
また、排紙口カバーは給紙カバーに対して固定される関係上、給紙カバーが閉じた状態においてがたつきがあると、閉じた状態の排紙口カバーにもがたつきが生じ、製品の質感を損なうことになる。
【０００８】
そこで本発明はこの様な状況に鑑みなされたものであり、その目的は、２つの開閉体をより高精度に閉じるとともに、少なくとも一方側の開閉体の閉じた状態をより確実に形成することにある。
【課題を解決するための手段】
【０００９】
上記課題を解決する為の、本発明の第１の態様に係る記録装置は、媒体に記録を行う記録手段を内部に備えた筐体と、前記筐体の上部の一部を開閉する第１開閉体と、前記筐体の周囲の一部を構成する第１面と、前記第１面の一部を開閉する第２開閉体と、前記第１面の一部を形成する側壁部材と、前記第１開閉体と、前記第２開閉体の閉状態を保持し、前記第１開閉体の開動作に連動して前記保持を解除する、前記側壁部材に設けられた開閉規制手段とを備えたことを特徴とする。
【００１０】
本態様によれば、第１開閉体と第２開閉体は、ともに筐体周囲を構成する第１面を形成する側壁部材によって閉じた姿勢が規制されるので、閉じた姿勢を互いに依存せず、より高精度に閉じることができる。また、閉じた状態におけるがたつきも防止でき、製品の質感が低下することを防止できる。加えて、第１開閉体の開閉状態に応じて第２開閉体の開閉を規制する開閉規制手段も前記側壁部材に設けられていることから、第２開閉体の開閉をより強固に規制することができる。
【００１１】
本発明の第２の態様は、第１の態様において、前記開閉規制手段は、前記第１開閉体が閉じ且つ前記第２開閉体が閉じた状態から、前記第第１開閉体が開く過程において、前記第２開閉体の一部と係合して当該第２開閉体に開方向への外力を付与することを特徴とする。
【００１２】
本態様によれば、第１開閉体を開くことで第２開閉体も開くので、ユーザー操作が簡易になるとともに、第１開閉体と第２開閉体に関連性がある場合（例えば第１開閉体が給紙カバーであり第２開閉体が排紙口カバーの場合）、第２開閉体が閉じたままで装置の操作が行われることに起因する不具合（例えば、紙ジャム）の発生を防止できる。
【００１３】
本発明の第３の態様は、第１のまたは第２の態様において、前記開閉規制手段は、前記第１開閉体が閉じ且つ前記第２開閉体が閉じた状態において、前記第２開閉体の一部と係合して当該第２開閉体の閉状態から開状態への移行を阻止する第１状態をとることを特徴とする。
【００１４】
本態様によれば、第１開閉体及び第２開閉体が閉じた状態において第２開閉体の開状態への移行が阻止されるので、閉じた状態の第２開閉体が自重で開きやすい場合に、第２開閉体が不用意に開くことを防止でき、これにより装置内部に塵埃や異物が入り込むことを防止できる。
【００１５】
本発明の第４の態様は、第１から第３の態様のいずれかにおいて、前記開閉規制手段は、前記第１開閉体が開き且つ前記第２開閉体が開いた状態において、前記第２開閉体の一部と係合して当該第２開閉体の開状態から閉状態への移行を阻止する第２状態をとることを特徴とする。
【００１６】
本態様によれば、第１開閉体が開き且つ第２開閉体が開いた状態において、当該第２開閉体の開状態から閉状態への移行が阻止されるので、第１開閉体と第２開閉体に関連性がある場合（例えば第１開閉体が給紙カバーであり第２開閉体が排紙口カバーの場合）、第２開閉体だけが閉じられて装置の操作が行われることに起因する不具合（例えば、紙ジャム）の発生を防止できる。
【００１７】
本発明の第５の態様は、第１から第４の態様のいずれかにおいて、前記開閉規制手段は、前記第１開閉体が閉じ且つ前記第２開閉体が開いた状態において、前記第２開閉体の開状態から閉状態への移行を許容する第３状態をとることを特徴とする。
【００１８】
本態様によれば、第１開閉体が閉じ且つ第２開閉体が開いた状態において、当該第２開閉体の開状態から閉状態への移行が許容されるので、第１開閉体の状態に応じた適切な状態、即ち第２開閉体を閉じた状態を形成することができる。
【００１９】
本発明の第６の態様は、第１から第５の態様のいずれかにおいて、前記第１開閉体は、開いた状態において給送前の媒体を支持し、前記第２開閉体は、記録が行われて排出される媒体の排出口を開閉することを特徴とする。  
本態様によれば、筐体上部を開閉する第１開閉体が給送前の媒体を支持する手段を兼用するので、装置の低コスト化を図ることができる。
【００２０】
本発明の第７の態様は、第６の態様において、前記第１開閉体は、支持する媒体の一方側のエッジ位置を規制する突起を備え、前記突起が、前記第１開閉体が閉じる過程において前記開閉規制手段と係合し、前記第２開閉体の開閉の規制状態切り換えを実行させることを特徴とする。
【００２１】
本態様によれば、第１開閉体に設けられた、媒体の一方側のエッジ位置を規制する突起が、開閉規制手段と係合して第２開閉体の開閉の規制状態切り換えを実行させるので、第２開閉体の開閉の規制状態切り換えを実行させる専用の構成を別途設ける必要がなく、装置構成の単純化と低コスト化を図ることができる。
【図面の簡単な説明】
【００２２】
【図１】本発明に係るプリンターの斜視図。
【図２】本発明に係るプリンターにおいて給紙カバー及び排出口カバーを開いた状態を示す斜視図。
【図３】本発明に係るプリンターの側断面図。
【図４】（Ａ）は本発明に係る開閉規制手段における給紙カバー及び排出口カバーの開いた状態を示す斜視図であり、（Ｂ）は本発明に係る開閉規制手段における給紙カバー及び排出口カバーの開じた状態を示す斜視図。
【図５】（Ａ）は第１スライド部材の断面図であり、（Ｂ）は給紙カバーの先端に設けられた突起の拡大図。
【図６】（Ａ）は給紙カバーを閉じた際の突起と第１スライド部材との係合状態を示す説明図であり、（Ｂ）は第１スライド部材及び第２スライド部材の係合部を示す斜視図。
【図７】（Ａ）は本発明に係る開閉規制手段における給紙カバー及び排出口カバーの開いた状態を示す側断面図であり、（Ｂ）は本発明に係る開閉規制手段における給紙カバー及び排出口カバーの開じた状態を示す側断面図。
【図８】（Ａ）は第２スライド部材の断面斜視図であり、（Ｂ）は第２スライド部材、第３スライド部材及び排出口カバーのフックの係合状態を示す斜視図。
【図９】（Ａ）は第２スライド部材における第３スライド部材との係合部を示す斜視図であり、（Ｂ）は第３スライド部材の斜視図。
【図１０】（Ａ）は本発明に係る開閉規制手段において排出口カバーの開閉における規制状態の第１の状態を示す断面図であり、（Ｂ）は開閉規制手段において排出口カバーの開閉における規制状態の第２の状態を示す断面図であり、（Ｃ）は開閉規制手段において排出口カバーの開閉における規制状態の第３の状態を示す断面図。
【図１１】（Ａ）は本発明に係る開閉規制手段において排出口カバーの開閉における規制状態の第４の状態を示す断面図であり、（Ｂ）は開閉規制手段において排出口カバーの開閉における規制状態の第５の状態を示す断面図であり、（Ｃ）は開閉規制手段において排出口カバーの開閉における規制状態の第６の状態を示す断面図。
【発明を実施するための形態】
【００２３】
以下、本発明の実施の形態を図面に基づいて説明する。尚、各実施例において同一の構成については、同一の符号を付し、最初の実施例においてのみ説明し、以後の実施例においてはその構成の説明を省略する。
【００２４】
図１は本発明に係るプリンターの斜視図であり、図２は本発明に係るプリンターにおいて給紙カバー及び排出口カバーを開いた状態を示す斜視図であり、図３は本発明に係るプリンターの側断面図であり、図４（Ａ）は本発明に係る開閉規制手段における給紙カバー及び排出口カバーの開いた状態を示す斜視図であり、図４（Ｂ）は本発明に係る開閉規制手段における給紙カバー及び排出口カバーの開じた状態を示す斜視図である。
【００２５】
図５（Ａ）は第１スライド部材の断面図であり、図５（Ｂ）は給紙カバーの先端に設けられた突起の拡大図であり、図６（Ａ）は給紙カバーを閉じた際の突起と第１スライド部材との係合状態を示す説明図であり、図６（Ｂ）は第１スライド部材及び第２スライド部材の係合部を示す斜視図であり、図７（Ａ）は本発明に係る開閉規制手段における給紙カバー及び排出口カバーの開いた状態を示す側断面図であり、図７（Ｂ）は本発明に係る開閉規制手段における給紙カバー及び排出口カバーの開じた状態を示す側断面図である。
【００２６】
図８（Ａ）は第２スライド部材の断面斜視図であり、図８（Ｂ）は第２スライド部材、第３スライド部材及び排出口カバーのフックの係合状態を示す斜視図であり、図９（Ａ）は第２スライド部材における第３スライド部材との係合部を示す斜視図であり、図９（Ｂ）は第３スライド部材の斜視図であり、図１０（Ａ）は本発明に係る開閉規制手段において排出口カバーの開閉における規制状態の第１の状態を示す断面図であり、図１０（Ｂ）は開閉規制手段において排出口カバーの開閉における規制状態の第２の状態を示す断面図であり、図１０（Ｃ）は開閉規制手段において排出口カバーの開閉における規制状態の第３の状態を示す断面図である。
【００２７】
図１１（Ａ）は本発明に係る開閉規制手段において排出口カバーの開閉における規制状態の第４の状態を示す断面図であり、図１１（Ｂ）は開閉規制手段において排出口カバーの開閉における規制状態の第５の状態を示す断面図であり、図１１（Ｃ）は開閉規制手段において排出口カバーの開閉における規制状態の第６の状態を示す断面図である。
【００２８】
また、本明細書において図１における装置前面（−Ｙ方向側）を「第１面」とし、Ｚ軸方向を「第１の方向」とし、Ｘ軸方向を「第２の方向」とする。
■■■記録装置の概要■■■■■■■■■■■■■■■■■
図１及び図２を参照しつつプリンター１０の全体構成について概説する。プリンター１０は、装置本体１２と、「筐体」としてのハウジング１４と、「第１開閉体」としての給紙カバー１６と、「側壁部材」としてのパネル部材１８と、「第２開閉体」としての排出口カバー２０と、操作部２２（図２参照）と、を備えている。
【００２９】
ハウジング１４は、装置本体１２の周囲を覆って、プリンター１０の外観を構成している。また、プリンター１０の上面には、給紙カバー１６が設けられている。給紙カバー１６は、ハウジング１４の上面に回動可能に取り付けられている。給紙カバー１６は、ハウジング１４に対して開いた状態（図２参照）と、閉じた状態（図１参照）とを取り得る。給紙カバー１６はハウジング１４に対して閉じた状態にある場合、ハウジング１４の上面とともにプリンター１０の上面を構成する。
【００３０】
また、給紙カバー１６はハウジング１４に対して開いた状態（図２参照）にある場合、プリンター１０の背面側（＋Ｙ方向側）に傾斜した状態となる。この状態において、給紙カバー１６の裏面は、媒体を支持する媒体支持面１６ａとして機能する。また、給紙カバー１６の先端部側の−Ｘ方向側端部には突起２４（図５（Ｂ）参照）が設けられている。また、ハウジング１４の上部を開閉する給紙カバー１６が給送前の媒体を支持する手段を兼用するので、装置の低コスト化を図ることができる。
【００３１】
突起２４は、給紙カバー１６がハウジング１４に対して閉じた状態にある際、媒体支持面１６ａから−Ｚ方向側に突出している。突起２４は媒体支持面１６ａに支持される媒体の−Ｘ方向側のエッジを規制している。
【００３２】
また、図２に示すように給紙カバー１６が装置本体１２に対して開いた状態にある場合、装置本体１２の後述する媒体供給部２６の媒体給送口２８はプリンター１０の上方に対して開いた状態となる。このため、媒体供給部２６は、媒体支持面１６ａに載置された媒体を後述する給送経路に給送可能となる。また、媒体給送口２８には、プリンター１０の幅方向（Ｘ軸方向）に接離移動可能に構成された一対の媒体ガイド３０が設けられている。一対の媒体ガイド３０は、媒体の幅方向における両端を拘束し、装置幅方向における媒体の位置を規定する。
【００３３】
また、操作部２２は、プリンター１０を操作するための電源ボタンや印刷設定ボタン等を備えて構成されている。給紙カバー１６が装置本体１２に対して開いた状態にある場合、ユーザーが操作部２２に対してアクセス可能となり、プリンター１０の操作をすることができる。
【００３４】
さらに、装置本体１２の前面には、パネル部材１８と排出口カバー２０とが設けられている。排出口カバー２０は、装置本体１２の前面に設けられた排出口６２を開閉可能にパネル部材１８に回動可能に取り付けられている。排出口カバー２０は、装置本体１２に対して開いた状態（図２参照）と、閉じた状態（図１参照）とを取り得る。
【００３５】
排出口カバー２０は、該排出部カバーが装置本体１２に対して開いた状態にある場合、装置本体１２の後述する排出部３４から記録が実行された媒体を後述する排出口６２を介してプリンター１０の前方に排出することを許容する。
【００３６】
さらに、排出口カバー２０は、媒体の排出方向と交差する方向である媒体幅方向（Ｘ軸方向）の中央領域に、フック８４（図４（Ｂ）及び図８（Ｂ）参照）が形成されている。フック８４は、後述する開閉規制手段６４と解除可能にロックされ、排出口カバー２０の開閉を規制する。
【００３７】
■■■媒体給送経路について■■■■■■■■■■■■■■■■■
次いで図３を参照しながらプリンター１０における媒体給送経路上の構成要素についてさらに詳説する。図３において紙面右側（装置背面側）が給送経路上流であり、紙面左側（装置前面側）が給送経路下流となっている。
【００３８】
給送経路上流側には、装置本体１２に対して開かれた状態の給紙カバー１６の媒体支持面１６ａから媒体を給送経路下流側に給送する媒体供給部２６が設けられている。媒体供給部２６は、媒体給送口２８と、該媒体給送口２８に設けられた一対の媒体ガイド３０と、媒体給送口２８から投入された媒体の少なくとも一部を支持する媒体支持部３６と、該媒体支持部３６と対向する位置に設けられたピックアップローラー３８と、戻しレバー４０とを備えている。
【００３９】
媒体支持部３６は、図３において−Ｙ方向側に向かって下がり傾斜状に形成されている。また、ピックアップローラー３８は、媒体支持部３６に載置された媒体に対して接離方向に揺動可能に構成されている。また、ピックアップローラー３８は、図示しない駆動源により駆動回転させられる。ピックアップローラー３８は、媒体支持部３６に接近する方向に変位した際、媒体支持部３６に載置された最上位の媒体と接し、該最上位の媒体を給送経路下流側に給送する。この際、次位以降の媒体は、戻しレバー４０により媒体支持部３６に戻され、次位以降の媒体が不用意に給送経路下流側に給送されることを防止する。
【００４０】
媒体供給部２６の下流側には搬送部４４が設けられている。搬送部４４は、搬送駆動ローラー４６と、搬送従動ローラー４８とを備えている。搬送駆動ローラー４６は、搬送ローラー軸５０に一体に取り付けられ、図示しない駆動源により搬送ローラー軸５０とともに回転させられる。搬送部４４は、媒体供給部２６から給送された媒体を搬送駆動ローラー４６と搬送従動ローラー４８との間でニップして搬送方向下流側に搬送する。搬送部４４の下流側には記録部３２が設けられている。
【００４１】
記録部３２は、キャリッジ５２と、該キャリッジの底部に設けられた「記録手段」としての記録ヘッド５４と、該記録ヘッドに対向し、媒体を支持する支持部としての下部案内部材すなわちプラテン５６とを備えている。記録ヘッド５４は、プラテン５６に支持された媒体と対向する。キャリッジ５２は、装置本体１２内部に設けられた制御部（図示せず）により制御される図示しない駆動モーターによって主走査方向（図３の紙面表裏方向すなわちＸ軸方向）に往復動する様に駆動される。また、プラテン５６は、媒体を下方から支持することにより、媒体の記録面と記録ヘッド５４のヘッド面との間の距離（ギャップ）を規定する。
【００４２】
記録部３２の搬送方向下流側には、排出部３４が設けられている。排出部３４は、排出ローラー６０を備えている。記録部３２で記録が実行された媒体は、排出ローラー６０により装置前面に形成された排出口６２から装置前方に向けて排出される。
【００４３】
■■■実施例■■■■■■■■■■
■■■開閉規制手段について■■■■■■■■■■■■■■■■■
図４（Ａ）ないし図９（Ｂ）を参照して、本実施例に係る開閉規制手段６４について説明する。図４（Ａ）及び図４（Ｂ）に示すように開閉規制手段６４は、装置前面側に設けられたパネル部材１８の裏側である装置本体１２側に配置されている。開閉規制手段６４は、第１スライド部材６６と、第２スライド部材６８と、第３スライド部材７０と、「第１付勢手段」としての第１付勢部材７２と、「第２付勢手段」としての第２付勢部材７４と、「第３付勢手段」としての第３付勢部材７６とを備えている。
【００４４】
この様に開閉規制手段６４は、パネル部材１８の裏側に設けられるので、装置の外観が煩雑にならず、装置の質感を高めることができる。
【００４５】
まず、図５（Ａ）ないし図７（Ｂ）を参照して第１スライド部材６６及び第１付勢部材７２について説明する。第１スライド部材６６はパネル部材１８の裏側（装置本体１２側）に配置されている。第１スライド部材６６は、図５（Ａ）に示すようにＸ軸方向において間隔をおいて対向する一対のガイドレール６６ｃ、６６ｃを備える。一対のガイドレールのそれぞれにパネル部材１８の一部が嵌合されている。このため、第１スライド部材６６は、図６（Ａ）におけるＺ軸方向にスライド移動可能に構成されている。
【００４６】
また、第１スライド部材６６は、給紙カバー１６の突起２４と係合する第１係合部６６ａと、第２スライド部材６８と係合する第２係合部６６ｂとを備えている。
【００４７】
また、第１付勢部材７２は、一端がパネル部材１８に取り付けられ、他端が第１スライド部材６６に取り付けられている。第１付勢部材７２は、第１スライド部材６６を＋Ｚ方向に付勢している。尚、第１付勢部材７２は、本実施例においてばね部材として構成されている。
【００４８】
また、プリンター１０において給紙カバー１６が開かれた状態にある際、第１スライド部材６６は、第１付勢部材７２により＋Ｚ方向に付勢され、第１係合部６６ａがパネル部材１８の上面に設けられた開口７８（図７（Ａ）参照）より突出した状態（図２、図６（Ｂ）及び図７（Ａ）参照）となる。
【００４９】
プリンター１０において給紙カバー１６が閉じられると、第１スライド部材６６の第１係合部６６ａと給紙カバー１６の突起２４とが係合し、第１スライド部材６６は第１付勢部材７２の付勢力に抗して−Ｚ方向側にスライド移動する（図４（Ｂ）及び図７（Ｂ）参照）。
【００５０】
次いで、図４（Ａ）、図４（Ｂ）、図６（Ａ）、図６（Ｂ）、図８（Ａ）及び図８（Ｂ）を参照して第２スライド部材６８及び第２付勢部材７４について説明する。第２スライド部材６８は全体としてＸ軸方向に延びる平板状の部材として構成されている。第２スライド部材６８においてパネル部材１８寄りの上端部及び下端部には、＋Ｚ方向及び−Ｚ方向にそれぞれ突出し、Ｘ軸方向にそれぞれ延設されているスライド部６８ａが設けられている（図６（Ｂ）、図８（Ａ）及び図９（Ａ）参照）。
【００５１】
また、パネル部材１８には、Ｘ軸方向に延設され、Ｚ軸方向に間隔をおいて対向する一対のガイドレール１８ａ（図６（Ｂ）参照）が設けられている。第２スライド部材６８は、スライド部６８ａがパネル部材１８の一対のガイドレール１８ａに受け入れられて、Ｘ軸方向にスライド移動可能に構成されている。
【００５２】
また、第２スライド部材６８は、−Ｘ方向側の端部に設けられた第１スライド部材６６と係合する第３係合部８０（図６（Ａ）参照）と、＋Ｘ方向側の端部に設けられた第３スライド部材７０と係合する第４係合部８２（図９（Ａ）参照）と、排出口カバー２０の装置本体１２側において排出口カバー２０の幅方向（Ｘ軸方向）中央領域に設けられたフック８４（図４（Ｂ）及び図８（Ｂ）参照）と係合する第１フック係合部８６（図４（Ｂ）、図８（Ｂ）及び図９（Ａ）参照）とを備えている。
【００５３】
また、第２付勢部材７４は、一端がパネル部材１８に取り付けられ、他端が第２スライド部材６８に取り付けられている。第２付勢部材７４は、第２スライド部材６８を−Ｘ方向に付勢している。尚、第２付勢部材７４は、本実施例においてばね部材として構成されている。
【００５４】
第３係合部８０は、第１スライド部材６６が−Ｚ方向にスライド移動する際、第１スライド部材６６の第２係合部６６ｂと係合する。第１スライド部材６６の−Ｚ方向への変位に伴って、第３係合部８０は第１スライド部材６６の第２係合部６６ｂに押圧されて、第２付勢部材７４の付勢力に抗して、第２スライド部材６８を＋Ｘ方向に変位させる。
【００５５】
尚、図６（Ａ）に示すように第１スライド部材６６がＺ軸方向に変位する際、第１スライド部材６６には、第２スライド部材６８の第２係合部６６ｂを介して第２付勢部材７４の−Ｘ方向への付勢力が作用する。図４（Ａ）に示すように第２付勢部材７４の−Ｘ方向の付勢力は、パネル部材１８に対して第１スライド部材６６のガイドレール６６ｃを押圧することから、第１スライド部材６６のＺ軸方向における移動においてＸ軸方向の変位を抑えることができる。
【００５６】
また、第２付勢部材７４の−Ｘ方向への付勢力は、第１スライド部材６６の第１係合部６６ａと係合する給紙カバー１６の突起２４には作用しない。その結果、給紙カバー１６が−Ｘ方向側のハウジング１４に押し付けられることがなく、円滑にハウジング１４に対して開閉することができる。また、給紙カバー１６がハウジング１４に対して−Ｘ方向に偏った状態にならず、即ち給紙カバー１６とハウジング１４との間の隙間（給紙カバー１６の両側に形成される）に左右差が生じないので、特に給紙カバー１６が閉じた際の装置の美観を保つことができる。
【００５７】
また、第３スライド部材７０はＹ軸方向においてパネル部材１８と第２スライド部材６８との間に配置されている（図４（Ａ）参照）。第３スライド部材７０もパネル部材１８に対してＸ軸方向にスライド移動可能に構成されている（図８（Ａ）参照）。
【００５８】
さらに、第３スライド部材７０は、第２スライド部材６８の第４係合部８２と係合する第５係合部８８と、排出口カバー２０のフック８４と係合する第２フック係合部９０とを＋Ｘ方向側の端部に備えている（図９（Ｂ）参照）。
【００５９】
また、第３付勢部材７６は、図８（Ｂ）に示すように一端が第２スライド部材６８の＋Ｘ方向側の端部に取り付けられ、他端が第３スライド部材７０の＋Ｘ方向側の端部に取り付けられている。第３付勢部材７６は、第３スライド部材７０を＋Ｘ方向に付勢している。具体的には、第３付勢部材７６は第２スライド部材６８の第４係合部８２と第３スライド部材７０の第５係合部８８とが当接するように第３スライド部材７０を第２スライド部材６８に向けて付勢している。尚、第２付勢部材７４は、本実施例においてばね部材として構成されている。
【００６０】
■■■開閉規制手段における開閉規制について■■■■■■■■■■■■■■■■■
次いで、開閉規制手段６４における排出口カバー２０の開閉規制について図１０（Ａ）ないし図１１（Ｃ）を順に参照して説明する。尚、説明の都合上、第１位置Ｘ１ないし第４位置Ｘ４及び第１の状態ないし第３の状態の説明が前後する。
【００６１】
図１０（Ａ）は、給紙カバー１６及び排出口カバー２０が装置本体１２に対して閉じた状態（図４（Ｂ）参照）における開閉規制手段６４の状態を示している。この状態において、第１スライド部材６６は、給紙カバー１６の突起２４と係合し、−Ｚ方向に変位させられた状態にある。このため、第２スライド部材６８は第１スライド部材６６により＋Ｘ方向に変位させられている。
【００６２】
このため、第２スライド部材６８の第１フック係合部８６も排出口カバー２０の幅方向（Ｘ軸方向）中央領域に設けられたフック８４から離間する方向である＋Ｘ方向側に変位している。尚、第１フック係合部８６のフック８４から離間した状態の位置を第２位置Ｘ２とする。
【００６３】
一方で第３スライド部材７０は第２スライド部材６８に向けて付勢されている。このため、第３スライド部材７０の第２フック係合部９０がフック８４と係合状態となり、フック８４をロックする。このため、第２フック係合部９０は、排出口カバー２０が装置前面側（−Ｙ方向側）に回動することを規制している。
【００６４】
このため、開閉規制手段６４はフック８４が拘束状態（ロック状態）にあるので、パネル部材１８に対して排出口カバー２０を開くことを規制する。この状態を開閉規制手段６４における第１状態とする。尚、開閉規制手段６４における第１状態とは、給紙カバー１６が閉じかつ排出口カバー２０が閉じた状態において、排出口カバー２０のフック８４と係合して当該排出口カバー２０の閉状態から開状態への移行を阻止する状態である。
【００６５】
また、第３スライド部材７０の第２フック係合部９０がフック８４を拘束状態（ロック状態）とし、排出口カバー２０を閉状態に規制する位置を第３位置Ｘ３（図１０（Ａ）参照）とする。
【００６６】
以上の様に給紙カバー１６及び排出口カバー２０が閉じた状態において排出口カバー２０の開状態への移行が阻止されるので、閉じた状態の排出口カバー２０が自重で開きやすい場合に、排出口カバー２０が不用意に開くことを防止でき、これにより装置内部に塵埃や異物が入り込むことを防止できる。
【００６７】
次いで、図１０（Ｂ）は給紙カバー１６と排出口カバー２０が閉じている状態から、給紙カバー１６が開く過程における開閉規制手段６４の一状態を示している。給紙カバー１６がユーザーによりハウジング１４に対して開かれることにより、給紙カバー１６の突起２４と第１スライド部材６６の第１係合部６６ａの係合が解除される。このため、第１スライド部材６６が第１付勢部材７２の付勢力により＋Ｚ方向に変位させられるとともに第１スライド部材６６と係合している第２スライド部材６８も第２付勢部材７４の付勢力により−Ｘ方向に変位させられる。
【００６８】
また、第３スライド部材７０は、第４係合部８２と第５係合部８８とが係合状態にあることから第２スライド部材６８の−Ｘ方向への変位に伴って−Ｘ方向に変位する。このため、第３スライド部材７０の第２フック係合部９０も第３位置Ｘ３から−Ｘ方向に変位する。そのため、第３スライド部材７０の第２フック係合部９０とフック８４との係合状態が解消される。その結果、排出口カバー２０のロック状態が解除される。
【００６９】
次いで、給紙カバー１６が更に開き、図１０（Ｃ）に示すように第２スライド部材６８が図１０（Ｂ）の状態からさらに−Ｘ方向側に変位すると、第２スライド部材６８の第１フック係合部８６がフック８４と接触し、フック８４を−Ｙ方向に押圧する（図１１（Ａ））。このため、排出口カバー２０は、装置前面側（−Ｙ方向側）に回動する。排出口カバー２０の装置前面側への回動により、排出口カバー２０はパネル部材１８に対して開いた状態となり、排出口６２が開放される（図４（Ａ）参照）。  
尚、この状態における第３スライド部材７０の第２フック係合部９０のフック８４に対するロック状態解除位置を第４位置Ｘ４（図１０（Ｃ）参照）とする。
【００７０】
尚、図１１（Ａ）は、給紙カバー１６がハウジング１４に対して開放状態にある開閉規制手段６４の状態を示している。具体的には、第１スライド部材６６は＋Ｚ方向側に変位し、第１係合部６６ａは開口７８から突出している状態である。このため、第２スライド部材６８は、−Ｘ方向側に最も変位した状態にある。第１フック係合部８６は、Ｘ軸方向において排出口カバー２０が閉じられた場合におけるフック８４の位置に位置している。
【００７１】
このため、この状態で、ユーザーが排出口カバー２０を回動させてパネル部材１８に対して閉じようした際、フック８４は第１フック係合部８６と当接する。このため、第１フック係合部８６が、フック８４の閉じた状態における位置への変位を規制することから、排出口カバー２０をパネル部材１８に対して閉じることができない。尚、第２スライド部材６８の第２フック係合部９０がフック８４の被ロック位置への移動を阻止する位置を第１位置Ｘ１とする。
【００７２】
以上の様に、開閉規制手段６４は、給紙カバー１６がハウジング１４に対して開かれた状態にある際、排出口カバー２０がパネル部材１８に対して閉じた状態となることを規制する。給紙カバー１６が開き且つ排出口カバー２０が開いた状態において、当該排出口カバー２０の開状態から閉状態への移行が阻止されるので、給紙カバー１６と排出口カバー２０に関連性がある場合（例えば給紙カバー１６が媒体給送口２８のカバーであり排出口カバー２０が排出口６２のカバーの場合）、排出口カバー２０だけが閉じられて装置の操作が行われることに起因する不具合（例えば、紙ジャム）の発生を防止できる。
【００７３】
尚、給紙カバー１６及び排出口カバー２０が開いた状態において、排出口カバー２０のフック８４と係合して排出口カバー２０の開状態から閉状態への移行を阻止する開閉規制手段６４のこの状態を第２状態とする。
【００７４】
次いで、図１１（Ｂ）において、給紙カバー１６がハウジング１４に対して閉じられると、突起２４が第１係合部６６ａと係合し、第１スライド部材６６が−Ｚ方向側に押し込まれる（図４（Ｂ）参照）。このため、第１スライド部材６６と係合する第２スライド部材６８が＋Ｘ方向に変位させられる。このため、第１フック係合部８６は、Ｘ軸方向において第１位置Ｘ１からフック８４の被ロック位置への移動を許容する第２位置Ｘ２へ移動する。
【００７５】
この状態において、第３スライド部材７０は、第３付勢部材７６（図４（Ａ）参照）により第２スライド部材６８に向けて付勢されている。このため、第２フック係合部９０がフック８４を拘束する第３位置Ｘ３に位置している。この状態で、排出口カバー２０をパネル部材１８に対して閉じると、フック８４の先端側に形成された傾斜面と第２フック係合部９０とが当接する。
【００７６】
図１１（Ｃ）に示すように、ユーザーが排出口カバー２０を図１１（Ｂ）の状態からさらに＋Ｙ方向側に押し込むと、第３スライド部材７０は第３付勢部材７６の付勢力に抗してフック８４の傾斜面に沿って−Ｘ方向にスライド移動する。この際、第３スライド部材７０の第５係合部８８は、第２スライド部材６８の第４係合部８２との係合状態を解消し、第４係合部８２から離間する。
【００７７】
そして、排出口カバー２０がさらに＋Ｙ方向側に押し込まれると、第２フック係合部９０がフック８４の傾斜面を乗り越えて、図１０（Ａ）に示すフック８４の拘束状態（ロック状態）へと変位する。このため、排出口カバー２０は、パネル部材１８に設けられた開閉規制手段６４によりロックされる。尚、第２フック係合部９０が拘束状態へ変位すると、第３スライド部材７０は、＋Ｘ方向側に変位し、再度第３スライド部材７０の第５係合部８８と第２スライド部材６８の第４係合部８２とが係合状態となる。
【００７８】
また、給紙カバー１６が閉じ及び排出口カバー２０が開いた状態において、排出口カバー２０のフック８４と係合して排出口カバー２０の開状態から閉状態への移行を許容する開閉規制手段６４のこの状態を第３状態とする。
【００７９】
以上の様に、給紙カバー１６が閉じ且つ排出口カバー２０が開いた状態において、当該排出口カバー２０の開状態から閉状態への移行が許容されるので、給紙カバー１６の状態に応じた適切な状態、即ち排出口カバー２０を閉じた状態を形成することができる。
【００８０】
また、フック８４は排出口カバー２０の幅方向（Ｘ軸方向）中央領域に設けられていることから、開閉規制手段６４は、排出口カバー２０の幅方向（Ｘ軸方向）の中央領域で排出口カバー２０の開閉を規制することができる。
【００８１】
つまり、開閉規制手段６４は、排出口カバー２０において媒体の排出方向と交差する方向である媒体幅方向（Ｘ軸方向）の中央領域において排出口カバー２０と係合し、該排出口カバー２０の開閉を制限するので、排出口カバー２０が閉じた状態において当該排出口カバー２０の媒体幅方向（Ｘ軸方向）の一方側端部が浮き気味になることを防止でき、排出口カバー２０を精密に閉じることができる。
【００８２】
以上のように、本実施例における給紙カバー１６と排出口カバー２０は、ともにハウジング１４の周囲を構成する装置前面を形成するパネル部材１８によって閉じた姿勢が規制されるので、閉じた姿勢を互いに依存せず、より高精度に閉じることができる。また、閉じた状態におけるがたつきも防止でき、製品の質感が低下することを防止できる。加えて、給紙カバー１６の開閉状態に応じて排出口カバー２０の開閉を規制する開閉規制手段６４もパネル部材１８に設けられていることから、排出口カバー２０の開閉をより強固に規制することができる。
【００８３】
また、給紙カバー１６を開くことで排出口カバー２０も開くので、ユーザー操作が簡易になるとともに、給紙カバー１６と排出口カバー２０に関連性がある場合（例えば給紙カバー１６が媒体給送口２８のカバーであり排出口カバー２０が排出口６２のカバーの場合）、排出口カバー２０が閉じたままで装置の操作が行われることに起因する不具合（例えば、紙ジャム）の発生を防止できる。
【００８４】
また、給紙カバー１６に設けられた、媒体の一方側のエッジ位置を規制する突起２４が、開閉規制手段６４と係合して排出口カバー２０の開閉の規制状態切り換えを実行させるので、排出口カバー２０の開閉の規制状態切り換えを実行させる専用の構成を別途設ける必要がなく、装置構成の単純化と低コスト化を図ることができる。
【００８５】
また、給紙カバー１６が閉じる際に当該給紙カバー１６がパネル部材１８に対して相対的に動く方向（Ｚ軸方向）に沿って変位する第１スライド部材６６を介して、排出口カバー２０の開閉の規制状態切り換えが行われるので、排出口カバー２０の開閉の規制状態切り換えを行うに際し、給紙カバー１６が、開閉方向と交差する方向（Ｘ軸方向）に力を受けることを防止できる。
【００８６】
上記説明をまとめると本実施例におけるプリンター１０は、媒体に記録を行う記録ヘッド５４を内部に備えたハウジング１４と、該ハウジング１４の上部の一部を開閉する給紙カバー１６と、ハウジング１４の周囲の一部を構成する装置前面と、該装置前面の一部を開閉する排出口カバー２０と、前記装置前面の一部を形成するパネル部材１８と、給紙カバー１６と、排出口カバー２０の閉状態を保持し、給紙カバー１６の開動作に連動して前記保持を解除する、パネル部材１８に設けられた開閉規制手段６４とを備える。
【００８７】
開閉規制手段６４は、給紙カバー１６が閉じ且つ排出口カバー２０が閉じた状態から、給紙カバー１６が開く過程において、排出口カバー２０の一部と係合して当該排出口カバー２０に開方向への外力を付与する。開閉規制手段６４は、給紙カバー１６が閉じ且つ排出口カバー２０が閉じた状態において、排出口カバー２０の一部と係合して当該排出口カバー２０の閉状態から開状態への移行を阻止する第１状態をとる。
【００８８】
開閉規制手段６４は、給紙カバー１６が開き且つ排出口カバー２０が開いた状態において、排出口カバー２０の一部と係合して当該排出口カバー２０の開状態から閉状態への移行を阻止する第２状態をとる。開閉規制手段６４は、給紙カバー１６が閉じ且つ排出口カバー２０が開いた状態において、排出口カバー２０の開状態から閉状態への移行を許容する第３状態をとる。
【００８９】
給紙カバー１６は、開いた状態において給送前の媒体を支持し、排出口カバー２０は、記録が行われて排出される媒体の排出口６２を開閉する。給紙カバー１６は、支持する媒体の一方側のエッジ位置を規制する突起２４を備える。突起２４が、給紙カバー１６が閉じる過程において開閉規制手段６４と係合し、排出口カバー２０の開閉の規制状態切り換えを実行させる。
【００９０】
開閉規制手段６４は、パネル部材１８の裏側に設けられる。開閉規制手段６４は、排出口カバー２０において媒体の排出方向と交差する方向である媒体幅方向（Ｘ軸方向）の中央領域において排出口カバー２０と係合し、該排出口カバー２０の開閉を制限する。
【００９１】
開閉規制手段６４は、給紙カバー１６が閉じる際に当該給紙カバー１６がパネル部材１８に対し相対的に動く方向であるＺ軸方向に沿って変位可能であるとともに、給紙カバー１６が閉じる過程において突起２４により押されて−Ｚ軸方向に変位する第１スライド部材６６を備える。第１スライド部材６６のスライドにより、排出口カバー２０の開閉の規制状態切り換えを行う。
【００９２】
本実施例におけるプリンター１０は、媒体に記録を行う記録ヘッド５４を内部に備えたハウジング１４と、該ハウジング１４の上部を開閉するとともに、閉じた姿勢がハウジング１４の周囲を構成する装置前面を形成するパネル部材１８により規制される給紙カバー１６と、装置前面を開閉するとともに、閉じた姿勢がパネル部材１８により規制される排出口カバー２０と、パネル部材１８に設けられ、給紙カバー１６の開閉状態に応じて排出口カバー２０の開閉を規制する開閉規制手段６４とを備える。排出口カバー２０は、回動することにより開閉するとともに、開閉規制手段６４によって拘束されるフック８４を備える。開閉規制手段６４は、給紙カバー１６が閉じる際に当該給紙カバー１６がパネル部材１８に対し相対的に動く方向であるＺ軸方向に沿って変位可能であるとともに、給紙カバー１６が閉じる過程において給紙カバー１６に設けられた突起２４により押されてＺ軸方向に変位する第１スライド部材６６と、該第１スライド部材６６をＺ軸方向の反対側方向に付勢する第１付勢部材７２と、パネル部材１８の裏面に沿った方向であってＺ軸方向と交差する方向であるＸ軸方向に沿って、排出口カバー２０の閉方向への回動に伴うフック８４の被ロック位置への移動を阻止する第１位置Ｘ１と、フック８４の前記被ロック位置への移動を許容する第２位置Ｘ２と、の間を変位可能であるとともに、Ｚ軸方向に変位する第１スライド部材６６により押されることで第１位置Ｘ１から第２位置Ｘ２へ移動する第２スライド部材６８と、該第２スライド部材６８を第１位置Ｘ１方向に向けて付勢する第２付勢部材７４と、Ｘ軸方向に沿って、第２スライド部材６８が第２位置Ｘ２にあるときに前記被ロック位置にあるフック８４を拘束し或いは前記被ロック位置に向かうフック８４によって押し退けられる第３位置Ｘ３と、第２スライド部材６８の第２位置Ｘ２から第１位置Ｘ１へのスライド動作に伴って移動する位置であってフック８４の拘束を解除する第４位置Ｘ４と、の間を変位可能であるとともに、第２スライド部材６８のスライド動作に伴って一体的にスライドする第３スライド部材７０と、第２スライド部材６８と第３スライド部材７０との間に設けられ、第３スライド部材７０を第３位置Ｘ３方向に向けて付勢する第３付勢部材７６とを備える。第２スライド部材６８が、第２位置Ｘ２から第１位置Ｘ１へ変位する際に、フック８４に対し、排出口カバー２０が開く方向の外力を付与する。
【００９３】
また、本実施形態では本発明に係る開閉規制手段６４を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００９５】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９６】
１０  プリンター、１２  装置本体、１４  ハウジング、１６  給紙カバー、
１６ａ  媒体支持面、１８  パネル部材、２０  排出口カバー、２２  操作部、
２４  突起、２６  媒体供給部、２８  媒体給送口、３０  媒体ガイド、３２  記録部、
３４  排出部、３６  媒体支持部、３８  ピックアップローラー、４０  戻しレバー、
４４  搬送部、４６  搬送駆動ローラー、４８  搬送従動ローラー、
５０  搬送ローラー軸、５２  キャリッジ、５４  記録ヘッド、５６  プラテン、
６０  排出ローラー、６２  排出口、６４  開閉規制手段、６６  第１スライド部材、
６６ａ  第１係合部、６６ｂ  第２係合部、６８  第２スライド部材、
７０  第３スライド部材、７２  第１付勢部材、７４  第２付勢部材、
７６  第３付勢部材、７８  開口、８０  第３係合部、８２  第４係合部、８４  フック、
８６  第１フック係合部、８８  第５係合部、９０  第２フック係合部、Ｘ１  第１位置、
Ｘ２  第２位置、Ｘ３  第３位置、Ｘ４  第４位置
【図１】
2014195903.tif 000003
【図２】
2014195903.tif 000004
【図３】
2014195903.tif 000005
【図４】
2014195903.tif 000006
【図５】
2014195903.tif 000007
【図６】
2014195903.tif 000008
【図７】
2014195903.tif 000009
【図８】
2014195903.tif 000010
【図９】
2014195903.tif 000011
【図１０】
2014195903.tif 000012
【図１１】
2014195903.tif 000013